(57)【特許請求の範囲】
【請求項１】
二個の個別の光ファイバコネクタを各嵌合する左右に二分割した二個一対のハウジングを形成し、該各ハウジングにおける光プラグ挿入部側の対向部を各開口部に形成し、前記各開口部と反対側を開口して形成した二個一対のツマミを前記各ハウジングの長手方向と直角方向へ移動する嵌合手段を介在して前記各ハウジングに嵌合外装すると共に、前記両光ファイバコネクタが相対的に上下移動する係合手段を介在して前記両ツマミを係合固定してなり、かつ前記両ツマミは、前記係合手段を備えた両対向壁を突き合わせた状態で、バネ板を屈曲することによって前板と、該前板の左右両端から後方へ一定の間隔をおいて直角に突出した左右の側板と、該両側板の端末部を各内側前方へ折り返して傾斜突設した二個一対の係止板とで形成される固定具により固定されているものであることを特徴とする光ファイバコネクタのアダプタ。
【請求項２】
前記嵌合手段は、各ハウジングの頂壁及び底壁に、ハウジングの長さ方向へ設けた長穴と、該長穴と直角に開口部側へ設けた横長穴とからなるＴ字型穴と、各ツマミの頂壁及び底壁の内面に、上記各Ｔ字型穴と対応する突起と横長突起とからなるＴ字型突起とで形成され、前記長穴と突起が相対的に横移動可能に嵌合するよう、前記突起の横幅を前記長穴のそれより所定寸法だけ狭幅に設けてなることを特徴とする請求項１記載の光ファイバコネクタのアダプタ。
【請求項３】
前記係合手段は、一対のツマミにおける対向壁の一方に縦設したアリほぞと、他方に縦設したアリ穴とからなり、該アリほぞとアリ穴とで相対的に上下動自在に係合してなることを特徴とする請求項１記載の光ファイバコネクタのアダプタ。
【発明の詳細な説明】
【０００１】
【発明の属する技術分野】
本発明は、光ファイバコネクタのアダプタに係り、詳細には、二個一対の個別の光ファイバコネクタを固定するアダプタに関する。
【０００２】
【従来の技術】
従来の光ファイバコネクタのアダプタには、（イ）、図１０に示したように、一対（２個）の個別の光ファイバコネクタを嵌合すると共に、レセプタクルに対する接合部ａ、ｂを一端に、光ファイバコネクタプラグｃ、ｄの挿入側であるツマミｅを他端に各備え、これら接合部ａ、ｂとツマミｅを一体に形成したものと、（ロ）、図１１及び図１２に示したように、Ｉ型の胴体部ｆに、一対の相対する脚部ｇ、ｇ、ｈ、ｈを有し、一対の光ファイバコネクタｉ、ｉの上下両面に突設した突起ｊ、ｊを、上記脚部ｇ、ｇ、ｈ、ｈに貫設した穴ｋ、ｋ、ｋ、ｋに移動自在に挿入することで、一対の光ファイバコネクタｉ、ｉを上記脚部ｇ、ｇ間及びｈ、ｈ間に配置し、一対の光ファイバコネクタｉ、ｉを左右方向及び前方へバイアスするスプリングｌと板バネｍを各取り付けてなるのが知られている。
【０００３】
【発明が解決しようとする課題】
しかし乍ら、上記した（イ）のアダプタは、レセプタクルに対する接合部ａ、ｂが一体に固定されているため、レセプタクルの接合穴に対し、接合及び嵌合ずれがある場合、このずれに対応できず無理な接合を強いられ、接合の確実性、安定性に欠けると共に、接合ずれのないレセプタクルしか適応できない問題がある。
【０００４】
一方、上記した（ロ）のアダプタは、一対の光ファイバコネクタｉ、ｉを、図１１及び図１２に二点鎖線で示したように移動できるが、その移動範囲が非常に小さく、かつ、傾斜状態に移動するので使用範囲が限定されるだけでなく、接続時においても、接合固定状態が悪く、接合の確実性、安定性に欠ける問題がある。
【０００５】
【目的】
本発明は、上記した従来の技術が有するこのような問題点に鑑みてなされたもので、二個の個別の光ファイバコネクタが各嵌合されるよう二分割して二個のハウジングを形成し、該両ハウジングの対向部に、二分割した二個のツマミを横移動自在に嵌合すると共に、前記両ツマミを互いに上下移動自在に係合して構成することにより、二個一対の光ファイバコネクタを、平行状態にて上下左右に移動でき、特に上下方向の移動範囲が極めて大きいため、レセプタクルと一対の光ファイバコネクタとの大きな接合ずれに対して対応でき、無理な接合を強いられることがなく、接合の確実性と安定性を向上できると共に、組み立てが容易である光ファイバコネクタのアダプタを提供することを目的とする。
【０００６】
【課題を解決するための手段】
上記目的を達成するために、請求項１では、二個の個別の光ファイバコネクタを各嵌合する左右に二分割した二個一対のハウジングを形成し、該各ハウジングにおける光プラグ挿入部側の対向部を各開口部に形成し、前記各開口部と反対側を開口して形成した二個一対のツマミを前記各ハウジングの長手方向と直角方向へ移動する嵌合手段を介在して前記各ハウジングに嵌合外装すると共に、前記両光ファイバコネクタが相対的に上下移動する係合手段を介在して前記両ツマミを係合固定してなり、かつ前記両ツマミは、前記係合手段を備えた両対向壁を突き合わせた状態で、バネ板を屈曲することによって前板と、該前板の左右両端から後方へ一定の間隔をおいて直角に突出した左右の側板と、該両側板の端末部を各内側前方へ折り返して傾斜突設した二個一対の係止板とで形成される固定具により固定されているものであることを特徴とする。
【０００７】
さらに、請求項２では、前記嵌合手段は、各ハウジングの頂壁及び底壁に、ハウジングの長さ方向へ設けた長穴と、該長穴と直角に開口部側へ設けた横長穴とからなるＴ字型穴と、各ツマミの頂壁及び底壁の内面に、上記各Ｔ字型穴と対応する突起と横長突起とからなるＴ字型突起とで形成され、前記長穴と突起が相対的に横移動可能に嵌合するよう、前記突起の横幅を前記長穴のそれより所定寸法だけ狭幅に設けてなることを特徴とする。
【０００８】
さらに、請求項３では、前記係合手段は、一対のツマミにおける対向壁の一方に縦設したアリほぞと、他方に縦設したアリ穴とからなり、該アリほぞとアリ穴とで相対的に上下動自在に係合してなることを特徴とする。
【００１０】
【発明の実施の形態】
以下、本発明に係る光ファイバコネクタのアダプタの実施形態について図面を参照して説明する。
図１は、アダプタを一部切欠した斜視図を示し、図２は、アダプタを左右にニ分割した状態の斜視図を示し、図３は、アダプタを中央から上下に切断した状態の縦断平面図を示し、図４は、アダプタに二個一対の光ファイバコネクタを嵌合固定した状態の斜視図を示し、図５は、アダプタに二個一対の光ファイバコネクタを嵌合固定して、各内側へ対向移動した状態の図４におけるＡ−Ａ線矢視拡大断面図を示し、図６は、アダプタに二個一対の光ファイバコネクタを嵌合固定して、各外側へ対称に移動した状態の拡大横断面図を示し、図７は、アダプタに二個一対の光ファイバコネクタを嵌合し、中央から上下に切断した状態の縦断平面図を示し、図８は、図４におけるＢ−Ｂ線矢視断面図を示し、図９は、レセプタクルに二個一対の光ファイバコネクタを接合した状態の斜視図を示す。
【００１１】
本発明に係る光ファイバコネクタのアダプタは、図１及び図２並びに図４、図５、図６に示したように、中央から左右に二分割した二個一対のハウジング１、２と、中央から左右に二分割された二個一対のツマミ３、４とで構成される。
【００１２】
上記一対のハウジング１、２は、次のように構成される。
図１ないし図７に示したように、中央から左右に二分割して、図９に示すレセプタクル５に対する接合部６、７を一端に、光プラグ８、９の挿入部１０、１１を他端に各形成させてある。上記各接合部６、７は、四角筒形状に形成され、上記各光プラグ挿入部１０、１１は、頂壁１０ａ、１１ａと、外側壁１０ｂ、１１ｂと、底壁１０ｃ、１１ｃとで一方を横断面略コの字型に、他方は横断面略逆コの字型に各形成することで、対向部を開口部１０ｄ、１１ｄに各形成させてある。
【００１３】
上記二個一対のツマミ３、４は、次のように構成される。
図１及び図２並びに図５、図６、図８に示したように、頂壁３ａ、４ａと、対向壁３ｂ、４ｂと、底壁３ｃ、４ｃとで、一方を横断面略逆コの字型に、他方は横断面略コの字型に形成され、頂壁３ａ、４ａと底壁３ｃ、４ｃの各表面には、複数の凹、凸条からなる滑り止め３ｄ、４ｄを各形成させてある。
【００１４】
即ち、上記一対のツマミ３、４は、既述一対のハウジング１、２における各光プラグ挿入部１０、１１に対向開設した各開口部１０ｄ、１１ｄ側から押し込むことで、該各ツマミ３、４に対して一対のハウジング１、２が左右方向、（各ハウジング１、２の長さ方向と直角方向）へ移動する嵌合手段１２、１３を介在して嵌合外装されている。
【００１５】
上記嵌合手段１２、１３は、次のように構成される。
図１ないし図３及び図５並びに図６に示したように、上記一対のハウジング１、２における光プラグ挿入部１０、１１の頂壁１０ａ、１１ａと底壁１０ｃ、１１ｃとに、各ハウジング１、２の長さ方向へ設けた長穴１２ｂ、１３ｂと、該長穴１２ｂ、１３ｂの中間部から既述した各開口部１０ｄ、１１ｄまで長く設けた横長穴１２ｃ、１３ｃとでＴ字型穴１２ａ、１３ａを形成し、一方、上記ツマミ３、４の頂壁３ａ、４ａと底壁３ｄ、４ｄとの内面には、ハウジング１、２の長さ方向へ長く設けた突起１２ｅ、１３ｅと、横長突起１２ｆ、１３ｆとからなるＴ字型突起１２ｄ、１３ｄを、上記各Ｔ字型穴１２ａ、１３ａと対応して形成し、上記したように、各ツマミ３、４を上記各光プラグ挿入部１０、１１に、その開口部１０ｄ、１１ｄ側から押し込み嵌合することで、上記各Ｔ字型穴１２ａ、１３ａに上記各Ｔ字型突起１２ｄ、１３ｄが嵌合するよう形成させてある。
【００１６】
また、上記嵌合手段１２、１３は、そのＴ字型穴１２ａ、１３ａの長穴１２ｂ、１３ｂの横幅Ｌを大きく、上記Ｔ字型突起１２ｄ、１３ｄの長い突起１２ｅ、１３ｅの横幅ｌは小さく設定して形成され、その結果、上記長穴１２ｂ、１３ｂと長い突起１２ｅ、１３ｅとの間の左右方向に所定幅の隙間１２ｇ、１３ｇが形成され、該隙間１２ｇ、１３ｇの幅だけ、各ツマミ３、４に対して、一対のハウジング１、２が左右方向へ移動されるよう形成されている。
【００１７】
さらに、上記各ツマミ３、４は、上記した各ハウジング１、２の各光プラグ挿入部１０、１１と略同一長さに形成されていると共に、これら対向壁３ｂ、４ｂの各ハウジング１、２の長手方向における幅を、各ツマミ３、４の長さの略１/２にして、かつ、各ハウジング１、２の各接合部６、７側に形成させてある。
【００１８】
上記した二個一対のツマミ３、４は、図１及び図２に示したように、係合手段１４、１５により上下方向へ相互に移動自在に係合固定されるもので、係合手段１４は、次のように構成される。
図１ないし図３に示したように、上記一対のツマミ３、４の対向壁３ｂ、４ｂを各厚肉に形成して、一方の対向壁３ｂの表面にアリほぞ１４ａを、他方の対向壁４ｂの表面にアリ穴１４ｂを対応して各縦設し、上記アリほぞ１４ａとアリ穴１４ｂを上下方向から挿入することで、当該アリほぞ１４ａ、アリ穴１４ｂの上下方向の有効長さの範囲内で上下方向へ移動自在に、かつ左右方向へは移動することなく、両ツマミ３、４は固定されるよう構成されている。
【００１９】
さらに、上記両対向壁３ｂ、４ｂは、互いに対向面を突き合わせた状態で図１及び図３に示したように、固定具１５により固定される。
【００２０】
上記固定具１５は、次のように構成される。
図３に明示した如く、前板１５ａと、該前板１５ａの左右両端から後方（図３において右方向）へ一定の間隔をおいて直角に突出した左右の側板１５ｂ、１５ｂと、該両側板１５ｂ、１５ｂの端末部を各内側前方へ折り返して傾斜突設した狭幅の二個一対の係止板１５ｃ、１５ｃとで形成されるもので、該固定具１５は、バネ板を屈曲して一体に形成されている。
【００２１】
そして、上記固定具１５は、一対のツマミ３、４を嵌合固定した後、図３に二点鎖線で示したように、一対のハウジング１、２における各接合部６、７間から矢印ｎで示した方向へ押し込むことで、両係止板１５ｃ、１５ｃの傾斜面が、両対向壁３ｂ、４ｂの前端各部に突き当り、押し込む力によって左右の側板１５ｂ、１５ｂが、自体のバネ力に抗して開き、固定具１５は後方（図３において右方向）へ押し込まれて行き、上記両係止板１５ｃ、１５ｃが両対向壁３ｂ、４ｂの内面から外れると同時に、左右の側板１５ｂ、１５ｂは対向復帰して両対向壁３ｂ、４ｂを突き合わせ状態に挟着固定すると共に、一対の係止板１５ｃ、１５ｃの先端が両対向壁３ｂ、４ｂの端部に係止して当該固定具１５の脱落は確実に阻止される。
【００２２】
二個の個別の光ファイバコネクタ１６、１７は、次のように構成される。
図７及び図８に示したように、既述二個一対のハウジング１、２におけるレセプタクル５に対する接合部６、７内に、その一端（図７及び図８において左端）にプラグフレーム１８、１９を嵌合固定し、該プラグフレーム１８、１９にストップリング２０、２１を係合固定し、該プラグフレーム１８、１９、ストップリング２０、２１内に、中心へ光ファイバ２２、２３を挿通固定したフェルール２４、２５と、そのホルダー２６、２７を、該ホルダー２６、２７とストップリング２０、２１間にスプリング２８、２９を介在し、かつフェルール２４、２５先端を外側へ突出して配置し、上記ストップリング２０、２１の後部外周に、光ファイバコード３０、３１のケプラ（表示せず）をカシメリング３２、３３にて固定すると共に、該カシメリング３２、３３の後部外周に、光ファイバコード３０、３１の剥離した被覆３０ａ、３１ａを、他のカシメリング３４、３５にて固定し、上記光ファイバコード３０、３１とカシメリング３２、３３、３４、３５を、一端をストップリング２０、２１に係止固定したゴム製あるいは合成樹脂製のブーツ３６、３７で外装して形成されている。
【００２３】
【発明の効果】
本発明は、以上説明したように構成されているので、請求項１によれば、二分割した二個一対のハウジングと、二個一対のツマミとを嵌合固定する嵌合手段と、二個一対のツマミを係合固定する係合手段とにより、二個の個別の光ファイバコネクタを平行状態にて二軸方向へ移動できると共に、上下方向へは、上記係合手段の上下移動の有効範囲内において、移動範囲が極めて大きいことにより、レセプタクルとの大きな接合ずれに対しても対応できて、無理な接合を強いられることはないから、接合時においても接合固定状態がよく、接合の確実性、安定性に優れる。また、ハウジングとツマミは、押し込み操作だけでよく、一対のツマミは、上方あるいは下方から差し込むだけの容易な操作で組み立てを簡単に行うことができ、構造的にも簡潔であるから安価に製造することができる。さらに、固定具にて一対のツマミ（一対の光ファイバコネクタ）を、上下動自在に、かつ堅卒に固定できるから、さらに、接合時の確実性と安定性を向上できる。
【００２５】
さらに、請求項２によれば、各ハウジングとツマミを自体のバネ性により、互いに対向押し込むだけで横移動自在に容易に嵌合組み立てることができる。
【００２６】
さらに、請求項３によれば、アリほぞとアリ穴とを係合するだけで、二個一対の光ファイバコネクタを簡単、かつ容易に上下動自在に組み立てることができると共に、上記アリほぞとアリ穴との長さの範囲内で、一対の光ファイバコネクタの上下動の範囲を極めて大きくすることができる。
【図面の簡単な説明】
【図１】本発明に係る光ファイバコネクタのアダプタを一部切欠して示す斜視図である。
【図２】同上アダプタを二つに分離して示す斜視図である。
【図３】同上アダプタを中央から上下に切断して示す縦断平面図である。
【図４】同上アダプタに、二個一対の光ファイバコネクタを内装した状態を示す斜視図である。
【図５】一対のハウジングを内側へ対向移動した状態の図４におけるＡ−Ａ線矢視断面図である。
【図６】一対のハウジングを外側へ対称に移動状態を図５と同様に切断して示す横断面図である。
【図７】一対のハウジングに、一対の光ファイバコネクタを内装した状態を、中央から上下に切断して示す縦断平面図である。
【図８】図４におけるＢ−Ｂ線矢視断面図である。
【図９】同上アダプタに二個の光ファイバコネクタを内装固定して、レセプタクルに接合した状態を示す斜視図である。
【図１０】従来の光ファイバコネクタのアダプタを示す斜視図である。
【図１１】従来の他の光ファイバコネクタのアダプタを示す平面図である。
【図１２】図１１におけるＣ−Ｃ線矢視断面図である。
【符号の説明】
１、２          二個一対のハウジング
３、４          二個一対のツマミ
３ｂ、４ｂ      対向壁
１０、１１      各ハウジングの光プラグ挿入部
１０ｄ、１１ｄ  開口部
１２、１３      嵌合手段
１４            係合手段
１５            固定具
１６、１７      二個一対の光ファイバコネクタ
【図１】
0003814191.tif 000002
【図２】
0003814191.tif 000003
【図３】
0003814191.tif 000004
【図４】
0003814191.tif 000005
【図５】
0003814191.tif 000006
【図６】
0003814191.tif 000007
【図７】
0003814191.tif 000008
【図８】
0003814191.tif 000009
【図９】
0003814191.tif 000010
【図１０】
0003814191.tif 000011
【図１１】
0003814191.tif 000012
【図１２】
0003814191.tif 000013